(57)【要約】  本発明は、保護システム（２）を有する自動車、特に乗用車に関するものであり、この保護システム（２）は、車両状態センサシステム（６）によって記録され、データ解析・制御装置（１６）で解析された情報に応じて制御される安全装置（１７）を使用した予防的処置を伴う。これにより、前記データ評価・制御装置（１６）は記録された情報を少なくとも１つの閾値と比較し、車両状態の臨界状態を検出すると、車両の少なくとも１つの安全装置（１８、１９、２０）を制御する。現在のかじ取り角速度（δν）が、現在の走行運動状況を示すパラメータ（ψ、ａｙ，ＡＣＫ）と結びつけられたときに、閾値（Ｓ）を超えた場合、理論上の横方向運動の臨界状態が検出され、関連する安全装置（１８、１９、２０）の少なくとも１つの起動が実行される。
2008508140.tif 000002
【特許請求の範囲】
【請求項１】
自動車、特に乗用車であって、走行状態センサシステム（６）によって収集されてデータ評価・制御装置（１６）で評価される情報に応じて作動する安全装置（１７）を含む、予防的に作動する保護システム（２）を有し、前記データ評価・制御装置（１６）が前記収集された情報を少なくとも１つの閾値と比較し、走行状態の臨界状態が検出されると、前記データ評価・制御装置（１６）がこの走行状態に割り当てられた少なくとも１つの安全装置（１８、１９、２０）を作動させる自動車において、
現在のかじ取り角速度（δ’ν）が、現在の走行ダイナミクスの状況を示すパラメータ（ψ”）と論理学的に結びつけられたときに、閾値（Ｓ）を超えた場合、理論上の横方向ダイナミクスの臨界状態が検出され、割り当てられた安全装置（１８、１９、２０）の少なくとも１つが起動されることを特徴とする自動車。
【請求項２】
現在の走行ダイナミクスの状況を表す前記パラメータが、ヨーレート又はヨー加速度（ψ”）であることを特徴とする請求項１に記載の自動車。
【請求項３】
かじ取り角速度（δ’ν）とヨー加速度（ψ”）との積が所定の閾値（Ｓ）より大きい場合に、理論上の横方向ダイナミクスの臨界状態が検出されることを特徴とする請求項２に記載の自動車。
【請求項４】
現在の走行ダイナミクスの状況を表す前記パラメータが、アッカーマン横加速度（ａｙ，Ａｃｋ）であることを特徴とする請求項１に記載の自動車。
【請求項５】
かじ取り角速度（δ’ν）とアッカーマン横加速度（ａｙ，Ａｃｋ）との積が所定の閾値（Ｓ）より大きい場合に、理論上の横方向ダイナミクスの臨界状態が検出されることを特徴とする請求項４に記載の自動車。
【請求項６】
前記閾値（Ｓ）が、車両速度及び／又は該車両速度の変化度の関数であることを特徴とする請求項１〜５のいずれか一項に記載の自動車。
【請求項７】
前記閾値（Ｓ）が、道路の摩擦係数の関数であることを特徴とする請求項１〜６のいずれか一項に記載の自動車。
【請求項８】
前記安全装置（１８）が、定められている生理学的な変数（特に車両の乗員の体重及び／又は体の大きさ）に応じて作動することを特徴とする請求項１〜７のいずれか一項に記載の自動車。
【請求項９】
前記安全装置（１８）が、車両の乗員の位置に応じて作動することを特徴とする請求項１〜８のいずれか一項に記載の自動車。
【請求項１０】
前記割り当てられた安全装置が、可逆的なシートベルトプリテンショナ（１８）であることを特徴とする請求項１〜９のいずれか一項に記載の自動車。
【請求項１１】
前記割り当てられた安全装置が、可動式の拘束布張りシート要素（１９）であることを特徴とする請求項１〜１０のいずれか一項に記載の自動車。
【発明の詳細な説明】
【技術分野】
【０００１】
本発明は、請求項１の前段に詳細に定義されたタイプの予防的に作動する保護システムを備えた自動車に関する。
【背景技術】
【０００２】
自動車、特に乗用車には、アクティブセーフティ及びパッシブセーフティ装置が実際に装備されている。これにより、運転者は臨界状況にあっても車両をより適切に制御することができ、車両が事故に巻き込まれるのをできる限り防ぐことができる。衝突が発生した場合、このような安全装置は、事故の激しさを緩和することにも貢献する。
【０００３】
予想される衝突が発生する前の時点ですでに予防的に作動しており、衝突前段階と呼ばれるもの（つまり、車両内の適切な検出システムによって衝突する確率が高いことが検出されてから実際に衝突が発生するまでの期間）を使用して、追加の安全手段によって車両乗員の保護を強化し、事故の激しさを和らげるための安全装置がある。このような安全装置は、予防的に作動する保護システム、又は所謂ＰＲＥ−ＳＡＦＥ（商標）システムと呼ばれている。予想される事故状況を検出するために、予防的に作動する保護システムは、自動車の各種センサ装置によって提供される情報を利用する。この場合、センサ装置は、電子式の走行安定性プログラムの構成要素及び／又は距離センサシステムの構成要素とすることもできる。検出された状況に応じて、予想される事故について結論が出されると、車両を緊急の事故に適応させるために、車両乗員用の拘束システム及び事故の他の当事者（例えば歩行者）のために可能な保護装置に関係する適切な手段が開始される。
【０００４】
特許文献１では、例えば自動車の可逆的な車両乗員保護手段を作動させるためのこのような方法について記載している。ここでは衝突時前に作動させることができ、衝突予防に有効な場所に配置可能である可逆的な車両乗員保護システムを自動車が備えている。このために、センサシステムを使用して、非常ブレーキ、オーバーステア、及びアンダーステアの可能性がないか監視される走行状態データを取得する。非常ブレーキ、オーバーステア、及び／又はアンダーステアが検出された場合は、車両乗員保護システムが作動する。最低速度を超えた場合にのみ車両乗員保護システムを起動させることも可能である。走行状態データを検出するためのセンサシステムは、かじ取り角センサ（だ角センサ）、ペダルストロークセンサ、ブレーキ圧センサ、車輪速度センサ、加速度センサ、及びヨーレートセンサを含むことができる。
【０００５】
特許文献１から知られている車両乗員保護システムでは、走行状態の重大な変化が検出された後で拘束システムが作動するので、車両乗員の位置ずれが既に発生している可能性がある。特に、摩擦係数が大きいと、車両の縦加速度及び横加速度の値が増大するので、それに応じて拘束システムが効力を生じた時には既に車両乗員に残念ながら位置ずれが発生している可能性がある。
【０００６】
【特許文献１】独国特許発明第１０１  ２１  ３８６  Ｃ１号明細書
【発明の開示】
【発明が解決しようとする課題】
【０００７】
したがって、本発明は、導入部で説明したタイプの予防的に作動する保護システムを備えた車両を提供して車両乗員の位置ずれを可能な限り早い段階で防ぐことを目的とする。
【課題を解決するための手段】
【０００８】
この目的は、請求項１に記載の特徴による、最初に説明するタイプの自動車において実現される。
【０００９】
予防的に作動する保護システムを有する自動車であり、この予防的処置としての保護システムでは、データ評価・制御装置が、走行状態センサシステムによって収集された情報を少なくとも１つの閾値と比較し、走行状態の臨界状態が検出されると、データ評価・制御装置がこの走行状態に割り当てられた少なくとも１つの安全装置を作動させる。更に、この予防的処置としての保護システムでは、現在のかじ取り角速度が、現在の走行ダイナミクス状況を示すパラメータと論理学的に組み合わせられたときに、閾値を超えた場合、理論上の横方向ダイナミクスの臨界状態が検出され、割り当てられた安全装置の少なくとも１つが起動する。このような自動車においては、横方向ダイナミクスについて臨界走行状態を引き起こす可能性があるとともに可逆的な車両乗員保護システムの起動を必要とするステアリングの移動が早い段階で検出され、それに応じて車両の相当な縦加速度及び特に車両の横加速度によって車両乗員に位置ずれが起きる前に、既に適切な安全装置が起動されているという利点を有する。
【００１０】
したがって、例えば、割り当てられた安全装置が可逆的なシートベルトプリテンショナである場合、不適切な急なステアリングの動きを伴う危険なステアリング操作、及び現在の走行ダイナミクスの状況から予想される車両のスリップが発生したとき、車両の横加速度に起因する車両乗員の位置ずれが発生する前に車両乗員をスリッププロセスに適応させるように保護することが可能である。
【００１１】
ここでは、安全装置の起動については、例えば、小さな摩擦係数で車両がスリップし、車両乗員に位置ずれが発生しない、又は質量の慣性力が小さく位置ずれがごくわずかだけである場合、大きな摩擦係数で車両がスリップし、これに応じて車両乗員に大きな位置ずれが発生することが予想される場合よりも、緩やか又はそれほど強力でなく車両乗員の適応が行われるようパラメータ化することができる。
【００１２】
本発明に従って、割り当てられた安全装置がステアリング操作と現在の走行ダイナミクスの状況に応じて作動することにより、車両乗員の位置ずれが最初から防止されるので車両乗員の安全性が増すばかりでなく、車両乗員の快適さの感覚も向上する。
【００１３】
本発明の極めて有利な一実施形態では、ヨーレート及び特にヨー加速度が現在の走行ダイナミクスの状況を表すパラメータとしての役目を果たすことができる。このため、かじ取り角速度とヨー加速度との積が対応する所定の閾値より大きい場合、理論上の横方向ダイナミクスの臨界状態が検出され得る。
【００１４】
この閾値はここでは、車両速度、実横加速度、摩擦係数、及び更なる適切な影響変数に応じて定義されることが好ましい。
【００１５】
或いは、現在の走行ダイナミクスの状況を表すパラメータはまた、アッカーマン横加速度と呼ばれる、アッカーマンによる理論上の横加速度とすることもできる。この場合も、かじ取り角速度とアッカーマン横加速度との積が所定の閾値より大きい場合に、理論上の横方向ダイナミクスの臨界状態が検出されたとみなすことができる。
【００１６】
本発明の一発展形態では、臨界走行状態が検出された場合、車両が事故に巻き込まれる可能性が非常に高い走行状態であると理解され得るだけでなく、スポーツ性の高い走行挙動で発生する走行状態であり、適切な安全装置を作動させて車両乗員の快適性を高めるのが適当である走行状態とも理解され得る。したがって、例えば、コーナリング時には、車両乗員は少しシートに引き寄せられるので、側面部分で適切に支持される。これは車両シートの布張りシート要素が適切に搭載され、車両乗員の安全を確保するためのプロセスに統合された結果である。
【００１７】
基本的に、本発明による安全装置の作動は、車両に装備されている全ての安全装置に適している。このような安全装置としては、例えば、可逆的なシートベルトプリテンショナ、電気式シート調整装置、形状、サイズ及び／又は位置の調整が可能な拘束布張りシート要素（特に、ひざ部の布張りシート要素）、又はその他の車両構成要素のうち安全性を高める目的で電気、油圧、又は空気圧にて調整可能なものを挙げることができる。
【００１８】
走行状態センサシステムは、様々な方法で構成されるとともに例えばステアリングホイールセンサ、ペダルストロークセンサ、ブレーキ圧センサ、車輪速度センサ、加速度センサ、ヨーレートセンサ、及び／又は距離センサを備えるセンサシステムを含むことができる。
【００１９】
予防的に作動する保護システムのデータ評価・制御装置は、特に近年の車両でよく見かける自動車の走行安定性システムのデータ処理装置とすることができる。言うまでもなく、個別のデータ処理装置を代わりに使用することもできる。
【００２０】
各々の安全装置が車両乗員の所定の生理学的な変数に応じて実行される場合は、各々の安全装置を、より正確に、各々の状況に適応するように作動させることができる。これらの変数としては、特に、車両乗員の大きさと体重が挙げられる。このデータは、データ評価・制御装置に接続されている重量検出装置と、体の大きさ検出装置とによって得られる。重量検出装置は、シート占有検出装置と一体化されるよう具現化することができる。体の大きさ検出装置は、例えばシート位置センサシステムや光学式の頭部位置特定装置と一体化されるよう具現化することができる。
【００２１】
一連の生産段階である程度の取り付けが既になされている、このような装置を使用すると、車両内の乗員の位置を特定することができ、この位置情報を使用して、本発明の有利な実施形態で安全装置を作動させることもできる。
【００２２】
車両速度又は車両速度の変化度は、安全装置を制御するための重要な入力信号である。ここでは、基本的に、特定の安全装置を特定の車両速度が発生した後でのみ作動させて、車両速度が非常に小さな値（例えば、３ｋｍ／ｈ）に達するまでアクチュエータの作動状態を継続させることが可能である。
【００２３】
かじ取り角によって予め定義されている目標経路の半径が車両の実際の通行経路の半径より小さいアンダーステアや、かじ取り角によって予め定義されている目標経路の半径が車両の実際の通行経路の半径より大きいオーバーステアといったような横方向ダイナミクスの臨界走行状態を検出するには、対応する加速度センサによって及び必要に応じてヨーセンサによって測定されてから車両の縦加速度と横加速度との和により得られた車両の総加速度が適切な方法で解析される。解析によって摩擦係数によって変化する起動閾値を超えていることが判明した場合、予防的処置としての保護システムと相互作用する安全装置が、作動され、予想される事故の状況に従って調整されるように、データ評価装置は衝突の可能性を出力する。
【００２４】
ステアリングは、対応する安全装置を起動させる単一の変数として使用できるだけでなく、例えば独国特許発明第１０１  ２１  ３８６  Ｃ１号明細書に記載されているような他の公知の作動装置として使用することもできる。したがって、本発明に係る作動は、安全装置用の公知の作動手段のソフトウェア拡張としての役割を果たし得る。
【００２５】
本発明の内容の更なる利点及び有利な実施形態については、明細書、図面、及び特許請求の範囲で説明する。
【００２６】
本発明に従って構成された自動車の例示的な実施形態の基本的な内容を図面に示し、その詳細を以下に説明する。
【発明を実施するための最良の形態】
【００２７】
図面の唯一の図では、乗用車或いは商用車として具現化することができ、且つ、予防的に作動する保護システム２を備えた自動車１の極めて概略的な平面図を示す。
【００２８】
予防的に作動する保護システム２は、車両周辺検出装置４と走行状態センサシステム６とを含む安全センサシステム３を有する。走行状態センサシステム６は、縦及び横の動的な走行状態に関する情報の検出、特に、自動車１のオーバーステア及び／又はアンダーステア、非常ブレーキ及び緊急ブレーキの検出を行うよう構成されている。
【００２９】
このために、特に、車輪速度センサ８、９、１０、及び１１と、ステアリングホイール１２の領域で調整されるかじ取り角δνと、かじ取り角速度（δ’ν）を検出するセンサ１３、縦加速度センサ１４、及び横加速度センサ１５とによって提供される情報又はデータが使用されている。
【００３０】
走行状態センサシステム６は、予防的に作動する保護システム２のデータ評価・制御装置１６が統合された電子安定性プログラム及び／又はアンチロックブレーキシステム等の走行ダイナミクス機能７と通信する。
【００３１】
自動車の正常運転中に、走行状態センサシステム６は、当該目的達成のために、更なる重要な走行ダイナミクス変数を解析することができる。対象となる走行ダイナミクス変数としては、車両速度νＦ、ヨー加速度ψ”、バネ圧縮移動量、バネ伸長移動量、車両の高さ、アクセルペダルの移動量、アクセルペダルの位置、ブレーキペダルの位置、ブレーキペダルの移動量、更にかじ取り角δν及びかじ取り角速度δ’νに加えて、かじ取り角加速度等が挙げられる。ここでは、上記変数の実際の値が、予め定義されている設定値及び閾値と比較される。
【００３２】
走行状態センサシステム６及び設定値／実際値の比較によって求められる情報は、臨界走行状況で事故が起きないように自動車の運転者を支援する機能を有するアンチロックブレーキシステム及び／又は電子安定性プログラム等の公知のシステムを作動させる役目を果たす。
【００３３】
更に、横方向ダイナミクスの観点から臨界状況になると予想される走行状態が発生した場合にその初期段階で予防的処置としての保護システム２及びその安全装置１７を作動させるために、データ評価・制御装置１６内でデータの再調整が行われる。現在のかじ取り角速度δ’νが現在の走行ダイナミクスの状況を示すパラメータと論理的に結合されたとき、閾値Ｓを超えた場合は、理論上の横方向ダイナミクスの臨界状況が検出され、これに応じて、割り当てられた安全装置１７が起動する。
【００３４】
安全装置１７のために提供されており、データ評価・制御装置１６に格納されている、本発明に係る起動アルゴリズムでは、現在の走行ダイナミクスの状況を示すパラメータがヨー加速度ψ”になるように規定している。
【００３５】
かじ取り角速度δ’νとヨー加速度ψ”との積が所定の閾値Ｓより大きい場合は、理論上の横方向ダイナミクスの臨界状態が検出され、安全装置１７が作動する。
【００３６】
後者は、このケースにおいては特に、可逆的なシートベルトプリエンショナ１８、拘束布張りシート要素１９、及び電気式シート調整装置２０を作動させるための手段を含んでいる。各々の車両乗員の位置ずれが発生すると予想される場合は、車両シート又はその構成要素を、最大限の安全性を提供する向きに、シートの占有に応じて配置することが可能である。
【００３７】
ここで、妥当性を検査するために、更なるアルゴリズム（単独でも使用可能）が、かじ取り角速度δ’νとヨー加速度ψ”とが論理学的に結び付けられる前述のアルゴリズムの代わりとして実行される。
【００３８】
この更なるアルゴリズムでは、現在の走行ダイナミクスの状況を表すパラメータは、アッカーマン横加速度ａｙ，Ａｃｋであり、次の式で算出される。
【数１】
2008508140.tif 000003
ここで、νＦは車両速度、dνはかじ取り角、ＬＦはホイールベースである。
【００３９】
かじ取り角速度δ’νとアッカーマン横加速度ａｙ，Ａｃｋとの積が所定の閾値Ｓより大きい場合は、理論上の横方向ダイナミクスの臨界状態、つまり、可逆的なシートベルトプリテンショナ１８の作動の妥当性チェックが再び検出される。
【００４０】
いずれの場合も、閾値Ｓは、車両速度νＦ及び／又は速度の変化度の関数、道路の摩擦係数、所定の横加速度の関数、必要に応じて、更なる適切なパラメータの関数となる。
【００４１】
車両乗員の位置ずれが発生する前の段階で既に介入している、可逆的なシートベルトプリテンショナ１８のためのこの起動アルゴリズムに加えて、データ評価・制御装置１６も、全ての入力及び周辺データの妥当性チェックを従来の方法で実行する。これが行われるのは、例えば非常ブレーキ又は緊急ブレーキに相当する、現在の走行状態としての縦方向ダイナミクスの臨界状況が発生していることを示す情報が存在する場合、又はデータ評価・制御装置１６が、例えば、電子式の安定性プログラムによって修正可能な範囲を超え、制御可能な走行上の物理的現象の範囲を逸脱し、パラメータとして予め定義されたリリース閾値を超えているような、厳しいオーバーステア又はアンダーステアに起因する、走行状態としての横方向ダイナミクスの臨界状態を検出した場合である。データが信頼できそうな場合は、可逆的なシートベルトプリテンショナ１８が起動される。
【図面の簡単な説明】
【００４２】
【図１】本発明に従って構成された自動車の例示的な実施形態の基本的な図を示す。
【図１】
2008508140.tif 000004
【国際調査報告】
2008508140.tif 000005
2008508140.tif 000006
2008508140.tif 000007
2008508140.tif 000008
2008508140.tif 000009